【手続補正書】
【提出日】平成19年12月7日(2007.12.7)
【手続補正１】
【補正対象書類名】明細書
【補正対象項目名】特許請求の範囲
【補正方法】変更
【補正の内容】
【特許請求の範囲】
【請求項１】
水平フォーマット変換器において画素の処理を容易にするためのバッファリング・システムであって、
複数の画素を含む入力画素ラインをバッファ記憶するＦＩＦＯバッファと、
ＦＩＦＯバッファから読み出された画素を処理して、出力画素ラインを発生するフィルタと、
可変シーケンスの画素がＦＩＦＯバッファからフィルタに読み出されるように、ＦＩＦＯバッファからフィルタへの画素の読出しを適合させるコントローラと、
から成る前記バッファリング・システム。
【請求項２】
前記コントローラが、拡張モード、圧縮モード、およびパス・スルー・モードに従って、ＦＩＦＯバッファからフィルタへの画素の読出しを適合させる、請求項１記載のバッファリング・システム。
【請求項３】
前記ＦＩＦＯバッファは複数のＦＩＦＯバッファを並列に具えており、該複数の並列ＦＩＦＯバッファにおいて前記複数の画素が代わる代わるバッファ記憶される、請求項２記載のバッファリング・システム。
【請求項４】
前記コントローラは、拡張モードに従って、前記複数の並列ＦＩＦＯバッファから前に読み出された画素の処理を適合させ、選択された画素がフィルタにより反復処理され、拡張された出力画素ラインを発生する、請求項３記載のバッファリング・システム。
【請求項５】
前記コントローラは、パス・スルー・モードに従って、前記複数の並列ＦＩＦＯバッファからの画素の読出しを適合させ、前記複数の画素が前記複数のＦＩＦＯバッファによりバッファ記憶されたのと同じように代わる代わる前記複数の画素が前記複数の並列ＦＩＦＯバッファから読み出されるようにする、請求項３記載のバッファリング・システム。
【請求項６】
前記コントローラは、圧縮モードに従って、前記複数の並列ＦＩＦＯバッファからの画素の読出しを適合させ、選択された画素が、前記複数のＦＩＦＯバッファのうちの選択されたＦＩＦＯバッファからフィルタに読み出されるようにする、請求項３記載のバッファリング・システム。
【請求項７】
前記選択された画素が、選択されたＦＩＦＯバッファから読み出され、可変シーケンスの並列の画素が前記複数のＦＩＦＯバッファからフィルタに読み出されるようにする、請求項６記載のバッファリング・システム。
【請求項８】
前記選択されたＦＩＦＯバッファが入力画素ラインをバッファ記憶するために必要でなければ、コントローラは前記複数のＦＩＦＯバッファのうちの選択されたＦＩＦＯバッファを停止させる、請求項３記載のバッファリング・システム。
【請求項９】
前記水平フォーマット変換器がディジタル・ビデオ受信システムの中に組み込まれている、請求項１記載のバッファリング・システム。
【請求項１０】
前記ディジタル・ビデオ受信システムがプラズマ・ディスプレイ内で動作する、請求項９記載のバッファリング・システム。
【請求項１１】
循環バッファにバッファ記憶された画素ラインの画素をフィルタに読み出し、前記画素ラインを拡張または圧縮するためのメモリ管理方法であって、
循環バッファにバッファ記憶された画素ラインを圧縮または拡張する必要があるかどうかを判断するステップと、
フィルタが、前記入力画素ラインを圧縮または拡張できるようにするために、前記画素ラインの画素を循環バッファからフィルタに読み出すステップと、
拡張または圧縮された前記画素ラインを、ディスプレイに表示する前にさらに処理するために下方の処理回路へ送るステップと、から成る前記方法。
【請求項１２】
前記循環バッファが複数の並列循環バッファから成り、循環バッファ内の画素をフィルタに読み出す前記ステップが、
循環バッファ内の画素ラインが圧縮されるときに前記複数の循環バッファのうちの選択されたバッファから画素を読み出すステップを含む、請求項１１記載のメモリ管理方法。
【請求項１３】
前記選択された循環バッファから画素が読み出され、可変シーケンスの並列画素が選択された循環バッファからフィルタに読み出されるようにする、請求項１２記載のメモリ管理方法。
【請求項１４】
前記循環バッファは、画素ラインをバッファ記憶するのに必要でないときは選択的にオフにできる複数の並列循環バッファから成る、請求項１１記載のメモリ管理方法。
【請求項１５】
前記メモリ管理プロセスが、ディジタル・ビデオ受信システムの水平フォーマット変換器の動作の中に組み込まれる、請求項１１記載のメモリ管理方法。
【請求項１６】
前記ディジタル・ビデオ受信システムがプラズマ・ディスプレイ内で動作する、請求項１５記載のメモリ管理方法。
【請求項１７】
複数の画素を含む画素ラインを圧縮または拡張するためのバッファリング・システムであって、
前記画素ラインをバッファ記憶するバッファリング手段と、
バッファ記憶された前記画素ラインを拡張または圧縮するフィルタ手段と、
バッファ記憶された前記画素ラインの可変数の画素をバッファリング手段からフィルタ手段に読み出す手段と、から成る前記バッファリング・システム。
【請求項１８】
前記バッファリング手段が、
可変シーケンスの並列画素が、フィルタ手段に供給されるように選択的に読み出すことができる複数の並列循環バッファを有するらせんコイル循環バッファを含む、請求項１７記載のバッファリング・システム。
【請求項１９】
前記バッファリング・システムが水平フォーマット変換器の中に組み込まれている、請求項１７記載のバッファリング・システム。
【請求項２０】
前記水平フォーマット変換器がプラズマ・ディスプレイのディジタル・ビデオ受信システム内で動作する、請求項１９記載のバッファリング・システム。
【手続補正２】
【補正対象書類名】明細書
【補正対象項目名】０００７
【補正方法】変更
【補正の内容】
【０００７】
（発明の概要）
本発明のバッファリング（ｂｕｆｆｅｒｉｎｇ）方式並びにシステムは、複雑な処理回路を使用せずに、可変シーケンスの並列画素が、水平フォーマット変換器バッファから水平フォーマット変換器フィルタに読み出されるように水平フォーマット変換器バッファを適合させることによって、画素ラインの圧縮または拡張を容易にするものである。なお、
特許請求の範囲と実施例との対応関係を図面で使われている参照番号で示すと次の通りである。
（１)  水平フォーマット変換器において画素の処理を容易にするためのバッファリング・システム５０であって、
複数の画素を含む入力画素ラインをバッファ記憶するＦＩＦＯバッファ５２と、
ＦＩＦＯバッファ５２から読み出された画素を処理して、出力画素ラインを発生するフィルタ５６と、
可変シーケンスの画素がＦＩＦＯバッファ５２からフィルタ５６に読み出されるように、ＦＩＦＯバッファ５２からフィルタ５６への画素の読出しを適合させるコントローラ５４と、
から成る前記バッファリング・システム５０。
（２)  前記コントローラ５４が、拡張モード、圧縮モード、およびパス・スルー・モードに従って、ＦＩＦＯバッファ５２からフィルタ５６への画素の読出しを適合させる、(１)記載のバッファリング・システム。
（３)  前記ＦＩＦＯバッファ５２は複数のＦＩＦＯバッファ６０、６２、６４を並列に具えており、該複数の並列ＦＩＦＯバッファ６０、６２、６４において前記複数の画素が代わる代わるバッファ記憶される、(２)記載のバッファリング・システム。
（４)  前記コントローラ５４は、拡張モードに従って、前記複数の並列ＦＩＦＯバッファ６０、６２、６４から前に読み出された画素の処理を適合させ、選択された画素がフィルタ５６により反復処理され、拡張された出力画素ラインを発生する、(３)記載のバッファリング・システム。
（５)  前記コントローラ５４は、パス・スルー・モードに従って、前記複数の並列ＦＩＦＯバッファ６０、６２、６４からの画素の読出しを適合させ、前記複数の画素が前記複数のＦＩＦＯバッファ６０、６２、６４によりバッファ記憶されたのと同じように代わる代わる前記複数の画素が前記複数の並列ＦＩＦＯバッファ６０、６２、６４から読み出されるようにする、(３)記載のバッファリング・システム。
（６)  前記コントローラ５４は、圧縮モードに従って、前記複数の並列ＦＩＦＯバッファ６０、６２、６４からの画素の読出しを適合させ、選択された画素が、前記複数のＦＩＦＯバッファ６０、６２、６４のうちの選択されたＦＩＦＯバッファ６０、６２または６４からフィルタ５６に読み出されるようにする、(３)記載のバッファリング・システム。
（７)  前記選択された画素が、選択されたＦＩＦＯバッファ６０、６２または６４から読み出され、可変シーケンスの並列の画素が前記複数のＦＩＦＯバッファ６０、６２、６４からフィルタ５６に読み出されるようにする、(６)記載のバッファリング・システム。
（８)  前記選択されたＦＩＦＯバッファ６０、６２または６４が入力画素ラインをバッファ記憶するために必要でなければ、コントローラ５４は前記複数のＦＩＦＯバッファ６０、６２、６４のうちの選択されたＦＩＦＯバッファ６０、６２または６４を停止させる、(３)記載のバッファリング・システム。
（９)  前記水平フォーマット変換器５０がディジタル・ビデオ受信システムの中に組み込まれている、(１)記載のバッファリング・システム。
（１０)  前記ディジタル・ビデオ受信システムがプラズマ・ディスプレイ内で動作する、(９)記載のバッファリング・システム。
（１１)  循環バッファ５２にバッファ記憶された画素ラインの画素をフィルタ５６に読み出し、前記画素ラインを拡張または圧縮するためのメモリ管理方法であって、
循環バッファ５２にバッファ記憶された画素ラインを圧縮または拡張する必要があるかどうかを判断するステップと、
フィルタ５６が、前記入力画素ラインを圧縮または拡張できるようにするために、前記画素ラインの画素を循環バッファ５２からフィルタ５６に読み出すステップと、
拡張または圧縮された前記画素ラインを、ディスプレイに表示する前にさらに処理するために下方の処理回路へ送るステップと、から成る前記方法。
（１２)  前記循環バッファ５２が複数の並列循環バッファ６０、６２、６４から成り、循環バッファ５２内の画素をフィルタ５６に読み出す前記ステップが、
循環バッファ５２内の画素ラインが圧縮されるときに前記複数の循環バッファ６０、６２、６４のうちの選択されたバッファ６０、６２または６４から画素を読み出すステップを含む、(１１)記載のメモリ管理方法。
（１３)  前記選択された循環バッファ６０、６２または６４から画素が読み出され、可変シーケンスの並列画素が選択された循環バッファ６０、６２、６４からフィルタ５６に読み出されるようにする、(１２)記載のメモリ管理方法。
（１４)  前記循環バッファ５２は、画素ラインをバッファ記憶するのに必要でないときは選択的にオフにできる複数の並列循環バッファ６０、６２、６４から成る、(１１)記載のメモリ管理方法。
（１５)  前記メモリ管理プロセスが、ディジタル・ビデオ受信システムの水平フォーマット変換器５０の動作の中に組み込まれる、(１１)記載のメモリ管理方法。
（１６)  前記ディジタル・ビデオ受信システムがプラズマ・ディスプレイ（表示装置）内で動作する、(１５)記載のメモリ管理方法。
（１７)  複数の画素を含む画素ラインを圧縮または拡張するためのバッファリング・システムであって、
前記画素ラインをバッファ記憶するバッファリング手段５２と、
バッファ記憶された前記画素ラインを拡張または圧縮するフィルタ手段５６と、
バッファ記憶された前記画素ラインの可変数の画素をバッファリング手段５２からフィルタ手段５６に読み出す手段５４と、から成る前記バッファリング・システム。
（１８)  前記バッファリング手段が、
可変シーケンスの並列画素が、フィルタ手段５６に供給されるように選択的に読み出すことができる複数の並列循環バッファ６０、６２、６４を有するらせんコイル循環バッファ５２を含む、(１７)記載のバッファリング・システム。
（１９)  前記バッファリング・システムが水平フォーマット変換器５０の中に組み込まれている、(１７)記載のバッファリング・システム。
（２０)  前記水平フォーマット変換器５０がプラズマ・ディスプレイのディジタル・ビデオ受信システム内で動作する、(１９)記載のバッファリング・システム。